(57)【要約】【課題】初期化放電を行う初期化期間を省略すると、信号レベルが低い領域での映像の表示品質が低下する。【解決手段】表示パネルと１７、入力映像信号の信号レベルが第１閾値以下か否かを画素ごとに判定する信号レベル判定部１２と、表示パネルの動作時間積算値が第２閾値以上か否かを判定する動作時間判定部１３と、動作時間積算値が第２閾値以上と判定された場合、入力映像信号の信号レベルが第１閾値以下の画素の信号レベルを階調「０」に補正した補正映像信号を生成する信号レベル補正部１１と、初期化期間を有しない複数のサブフィールドごとに、輝度重みが異なるように、走査・データ・維持の各電極の少なくとも１つの電極に駆動電圧を印加する駆動部１５，１６と、補正映像信号が生成された画素については補正映像信号に基づき、駆動部を制御する制御部１４と、を備える駆動制御装置。【選択図】図１
2014089226.tif 000002
【特許請求の範囲】
【請求項１】
第１方向に延びる走査電極及び維持電極からなる複数の表示電極対と、前記第１方向に交差する第２方向に延びる複数のデータ電極と、前記表示電極対と前記データ電極とが交差する部分に形成された放電セルを有する画素と、を含み、入力映像信号を表示する表示パネルと、
前記入力映像信号の信号レベルが第１閾値以下か否かを前記画素ごとに判定する信号レベル判定部と、
前記表示パネルの動作時間を積算し、前記動作時間積算値が第２閾値以上か否かを判定する動作時間判定部と、
前記動作時間積算値が第２閾値以上と判定された場合、前記入力映像信号の信号レベルが第１閾値以下の画素の信号レベルを階調「０」に補正した補正映像信号を生成する信号レベル補正部と、
１フィールド期間に含まれ、前記走査電極と前記データ電極及び前記維持電極との間に駆動電圧を印加して電荷を活性化させるための初期化放電を発生する初期化期間を有しない複数のサブフィールドごとに、輝度重みが異なるように、前記走査電極と前記データ電極及び前記維持電極のうち少なくとも１つの電極に駆動電圧を印加する駆動部と、
前記補正映像信号が生成された画素については前記補正映像信号に基づき、前記補正映像信号が生成されない画素については前記入力映像信号に基づき、前記駆動部を制御する制御部と、
を備える駆動制御装置。
【請求項２】
前記入力映像信号の平均輝度を検出する平均輝度検出部を更に備え、
前記信号レベル補正部は、
前記平均輝度が第３閾値以下の場合、前記第１閾値を増大させる
ことを特徴とする請求項１記載の駆動制御装置。
【請求項３】
前記信号レベル補正部は、
前記平均輝度が第４閾値以上の場合、前記補正映像信号を生成しない
ことを特徴とする請求項２記載の駆動制御装置。
【請求項４】
周囲の照度を検出する照度検出部を更に備え、
前記信号レベル補正部は、
前記照度が第５閾値以下の場合、前記第１閾値を増大させる
ことを特徴とする請求項１記載の駆動制御装置。
【請求項５】
前記信号レベル補正部は、
前記照度が第６閾値以上の場合、前記補正映像信号を生成しない
ことを特徴とする請求項４記載の駆動制御装置。
【請求項６】
前記信号レベル補正部は、
前記動作時間積算値が第２閾値以上と判定された場合、前記入力映像信号の信号レベルが第１閾値以下で、且つ、第７閾値以上の画素の信号レベルを増大させた補正映像信号を生成する
ことを特徴とする請求項１記載の駆動制御装置。
【請求項７】
前記信号レベル補正部は、
前記第２閾値以上において前記動作時間積算値が増大すると、前記第１閾値を増大させる
ことを特徴とする請求項１記載の駆動制御装置。
【請求項８】
第１方向に延びる走査電極及び維持電極からなる複数の表示電極対と、前記第１方向に交差する第２方向に延びる複数のデータ電極と、前記表示電極対と前記データ電極とが交差する部分に形成された放電セルを有する画素と、を含み、入力映像信号を表示する表示パネルを駆動する駆動制御方法であって、
前記入力映像信号の信号レベルが第１閾値以下か否かを前記画素ごとに判定する信号レベル判定ステップと、
前記表示パネルの動作時間を積算し、前記動作時間積算値が第２閾値以上か否かを判定する動作時間判定ステップと、
前記動作時間積算値が第２閾値以上と判定された場合、前記入力映像信号の信号レベルが第１閾値以下の画素の信号レベルを階調「０」に補正した補正映像信号を生成する信号レベル補正ステップと、
１フィールド期間に含まれ、前記走査電極と前記データ電極及び前記維持電極との間に駆動電圧を印加して電荷を活性化させるための初期化放電を発生する初期化期間を有しない複数のサブフィールドごとに、輝度重みが異なるように、前記走査電極と前記データ電極及び前記維持電極のうち少なくとも１つの電極に駆動電圧を印加する駆動ステップと、
前記補正映像信号が生成された画素については前記補正映像信号に基づき、前記補正映像信号が生成されない画素については前記入力映像信号に基づき、前記駆動部を制御する制御ステップと、
を備える駆動制御方法。
【発明の詳細な説明】
【技術分野】
【０００１】
本開示は、駆動制御装置及び駆動制御方法に関するものである。
【背景技術】
【０００２】
プラズマディスプレイパネル（以下、単に「パネル」とも言う）は、走査電極及び維持電極からなる表示電極対とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間、書込み期間、維持期間及び消去期間を有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作、消去期間には消去動作が行われる。
【０００４】
初期化動作は、初期化放電を発生し、続く書込み動作が好適に行われるように放電セル内の電荷を活性化させる動作である。書込み動作は、表示する映像に応じて放電セルで選択的に書込み放電を発生し壁電荷を形成する動作である。維持動作は、表示電極対に交互に維持パルスを印加して維持放電を発生させ、対応する放電セルの蛍光体層を発光させる動作である。消去動作は、書込み放電を発生した放電セルで選択的に消去放電を発生して壁電荷の履歴を消去し、続く書込み放電に必要な壁電荷を各電極に形成する動作である。
【０００５】
維持放電による蛍光体層の発光は階調表示に関係する発光であり、サブフィールド毎に予め決められた輝度重みに応じた数の維持パルスにより維持放電を発生させて放電セルを発光させている。一方、その他の発光は階調表示に関係しない発光である。
【０００６】
従来、サブフィールド法の中で最も低い階調である黒を表示する際の輝度（以下、単に「黒輝度」とも言う）を下げ、階調表示に関係しない発光を極力減らしてコントラストを向上させる駆動方法が検討されている。例えば特許文献１には、強制初期化動作を行う回数を１フィールドに１回とし、緩やかに変化する傾斜波形電圧を用いて強制初期化動作を行う駆動方法が開示されている。
【０００７】
また特許文献２には、表示電極対をｎ分割し、強制初期化動作を行う回数をｎフィールドに１回とし、階調表示に関係しない発光をさらに減らして黒輝度をさらに下げ、コントラストを向上させた駆動方法が開示されている。
【先行技術文献】
【特許文献】
【０００８】
【特許文献１】特開２０００−２４２２２４号公報
【特許文献２】特開２００６−０９１２９５号公報
【発明の概要】
【発明が解決しようとする課題】
【０００９】
本開示は、表示パネルの総動作時間に起因して保護層の劣化が発生したとしても、コントラストを向上させつつ点灯不良が発生する確率が高い信号レベルが低い領域での映像の表示品質の低下を抑制することができる駆動制御装置および駆動制御方法を提供する。
【課題を解決するための手段】
【００１０】
本開示の駆動制御装置は、第１方向に延びる走査電極及び維持電極からなる複数の表示電極対と、第１方向に交差する第２方向に延びる複数のデータ電極と、表示電極対とデータ電極とが交差する部分に形成された放電セルを有する画素と、を含み、入力映像信号を表示する表示パネルと、入力映像信号の信号レベルが第１閾値以下か否かを画素ごとに判定する信号レベル判定部と、表示パネルの動作時間を積算し、動作時間積算値が第２閾値以上か否かを判定する動作時間判定部と、動作時間積算値が第２閾値以上と判定された場合、入力映像信号の信号レベルが第１閾値以下の画素の信号レベルを階調「０」に補正した補正映像信号を生成する信号レベル補正部と、１フィールド期間に含まれ、走査電極とデータ電極及び維持電極との間に駆動電圧を印加して電荷を活性化させるための初期化放電を発生する初期化期間を有しない複数のサブフィールドごとに、輝度重みが異なるように、走査電極とデータ電極及び維持電極のうち少なくとも１つの電極に駆動電圧を印加する駆動部と、補正映像信号が生成された画素については補正映像信号に基づき、補正映像信号が生成されない画素については入力映像信号に基づき、駆動部を制御する制御部と、を備える。
【００１１】
また、本開示の駆動制御方法は、第１方向に延びる走査電極及び維持電極からなる複数の表示電極対と、第１方向に交差する第２方向に延びる複数のデータ電極と、表示電極対とデータ電極とが交差する部分に形成された放電セルを有する画素と、を含み、入力映像信号を表示する表示パネルを駆動する駆動制御方法であって、入力映像信号の信号レベルが第１閾値以下か否かを画素ごとに判定する信号レベル判定ステップと、表示パネルの動作時間を積算し、動作時間積算値が第２閾値以上か否かを判定する動作時間判定ステップと、動作時間積算値が第２閾値以上と判定された場合、入力映像信号の信号レベルが第１閾値以下の画素の信号レベルを階調「０」に補正した補正映像信号を生成する信号レベル補正ステップと、１フィールド期間に含まれ、走査電極とデータ電極及び維持電極との間に駆動電圧を印加して電荷を活性化させるための初期化放電を発生する初期化期間を有しない複数のサブフィールドごとに、輝度重みが異なるように、走査電極とデータ電極及び維持電極のうち少なくとも１つの電極に駆動電圧を印加する駆動ステップと、補正映像信号が生成された画素については補正映像信号に基づき、補正映像信号が生成されない画素については入力映像信号に基づき、駆動部を制御する制御ステップと、を備える。
【００１２】
本開示の駆動制御装置及び駆動制御方法によれば、１フィールド期間に含まれ、走査電極とデータ電極及び維持電極との間に駆動電圧を印加して電荷を活性化させるための初期化放電を発生する初期化期間を有しない複数のサブフィールドにおける駆動制御において、表示パネルの動作時間積算値（総動作時間）が第２閾値以上と判定された場合、入力映像信号の信号レベルが第１閾値以下である画素の階調「０」に補正した補正映像信号を生成し、補正映像信号が生成された画素については補正映像信号に基づき駆動制御を行うので、表示パネルの総動作時間に起因して保護層の劣化が発生したとしても、コントラストを向上させつつ点灯不良が発生する確率が高い信号レベルが低い領域での映像の表示品質の低下を抑制することができる。
【発明の効果】
【００１３】
本開示の駆動制御装置及び駆動制御方法によれば、１フィールド期間に含まれ、走査電極とデータ電極及び維持電極との間に駆動電圧を印加して電荷を活性化させるための初期化放電を発生する初期化期間を有しない複数のサブフィールドにおける駆動制御において、表示パネルの動作時間積算値（総動作時間）が第２閾値以上と判定された場合、入力映像信号の信号レベルが第１閾値以下である画素の階調「０」に補正した補正映像信号を生成し、補正映像信号が生成された画素については補正映像信号に基づき駆動制御を行うので、表示パネルの総動作時間に起因して保護層の劣化が発生したとしても、コントラストを向上させつつ点灯不良が発生する確率が高い信号レベルが低い領域での映像の表示品質の低下を抑制することができる。
【図面の簡単な説明】
【００１４】
【図１】実施の形態１に係る駆動制御装置の構成を示すブロック図
【図２】図１に示される表示パネルの分解斜視図
【図３】図１に示される駆動制御装置の電極配列及び駆動部の模式図
【図４】信号レベル補正部による補正映像信号の生成を説明する模式図
【図５】信号レベル補正部による補正映像信号の生成の他の例を説明する模式図
【発明を実施するための形態】
【００１５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、発明者（ら）は、当業者が本開示を十分に理解するために添付図面および以下の説明を提供するのであって、これらによって特許請求の範囲に記載の主題を限定することを意図するものではない。
【００１７】
（実施の形態１）
[１−１．構成]
図１は、実施の形態１に係る駆動制御装置の構成を示すブロック図である。
【００１８】
図２は、図１に示される表示パネルの分解斜視図である。
【００１９】
図３は、図１に示される駆動制御装置の電極配列及び駆動部の模式図である。
【００２０】
図１において、駆動制御装置１は、信号レベル補正部１１、信号レベル判定部１２、動作時間判定部１３、制御部１４、データ駆動部１５、書込・維持・消去駆動部１６、表示パネル１７、平均輝度検出部１８及び照度検出部１９を備える。
【００２１】
駆動制御装置１には、表示パネル１７の各画素に対応する入力映像信号がフレームごとに入力される。
【００２２】
信号レベル判定部１２は、予め設定された第１閾値Ｘ１を保持する。信号レベル判定部１２は、画素ごとに、入力映像信号の信号レベルが第１閾値Ｘ１以下か否かを判定し、判定結果を信号レベル補正部１１に渡す。例えば、入力映像信号として、赤色信号Ｒ、緑色信号Ｇ及び青色信号Ｂの３原色信号が入力される場合には、信号レベル判定部１２は、例えば、Ｙ＝０．３０Ｒ＋０．５９Ｇ＋０．１１Ｂにより輝度信号を生成し、輝度信号のレベルに基づき、入力映像信号の信号レベルが第１閾値Ｘ１以下か否かを判定する。
【００２３】
動作時間判定部１３は、予め設定された第２閾値ＸＬ１を保持する。動作時間判定部１３は、表示パネル１７の動作時間を積算し、動作時間を積算した総動作時間が第２閾値ＸＬ１以上か否かを判定し、判定結果を信号レベル補正部１１に渡す。
【００２４】
信号レベル補正部１１は、動作時間判定部１３において表示パネル１７の総動作時間が第２閾値ＸＬ１以上と判定された場合、信号レベル判定部１２において入力映像信号の信号レベルが第１閾値Ｘ１以下であると判定された画素の信号レベルを階調「０」に補正した補正映像信号を生成し、制御部１４に渡す。信号レベル補正部１１は、動作時間判定部１３において表示パネル１７の総動作時間が第２閾値ＸＬ１未満と判定された場合、補正映像信号を生成せず、入力映像信号をそのまま制御部１４に渡す。また、信号レベル補正部１１は、動作時間判定部１３において表示パネル１７の総動作時間が第２閾値ＸＬ１以上と判定された場合であっても、信号レベル判定部１２において入力映像信号の信号レベルが第１閾値Ｘ１より大きいと判定された画素に対しては、補正映像信号を生成せず、入力映像信号をそのまま制御部１４に渡す。
【００２５】
制御部１４は、補正映像信号が生成された画素については補正映像信号に基づき、補正映像信号が生成されない画素については入力映像信号に基づき、データ駆動部１５及び書込・維持・消去駆動部１６を制御する。
【００２６】
表示パネル１７は、プラズマディスプレイパネルであり、後述するデータ駆動部１５及び書込・維持・消去駆動部１６による駆動制御により入力映像信号を表示する。
【００２７】
図２において、表示パネル１７のガラス製の前面基板２１上には、走査電極２２と維持電極２３とからなる表示電極対２４が複数形成されている。表示電極対２４を覆うように誘電体層２５が形成され、誘電体層２５上に保護層２６が形成されている。保護層２６は、放電を発生しやすくするために、電子放出性能の高い材料である酸化マグネシウムを用いて形成されている。
【００２８】
一方、背面基板３１上には、データ電極３２が複数形成され、データ電極３２を覆うように誘電体層３３が形成され、さらにその上に井桁状の隔壁３４が形成されている。隔壁３４の側面及び誘電体層３３上には赤色、緑色及び青色の各色に発光する蛍光体層３５が設けられている。赤の蛍光体としては、例えば（Ｙ，  Ｇｄ）ＢＯ３：Ｅｕを、緑の蛍光体としては、例えばＺｎ２ＳｉＯ４：Ｍｎを、青色の蛍光体としては、例えばＢａＭｇＡｌ１０Ｏ１７：Ｅｕをそれぞれ主成分とする蛍光体を用いている。
【００２９】
これら前面基板２１と背面基板３１とは、微小な放電空間を挟んで表示電極対２４とデータ電極３２とが交差するように対向配置され、外周部をガラスフリット等の封着材によって封着されている。放電空間には、放電ガスとして、例えば、ネオンとキセノンとの混合ガスが封入されている。放電空間は、隔壁３４によって複数の区画に仕切られており、表示電極対２４とデータ電極３２とが交差する部分に放電セルが形成されている。放電セルが放電、発光することにより表示パネル１７に映像が表示される。なお、表示パネル１７の構造は上述したものに限らず、例えば、ストライプ状の隔壁を備えたものであってもよい。
【００３０】
図３において、表示パネル１７には、行方向に延びる走査電極２２及び維持電極２３として、ｎ本の走査電極ＳＣ１からＳＣｎ及びｎ本の維持電極ＳＵ１からＳＵｎが配列されている。また、表示パネル１７には、列方向に延びるデータ電極３２として、ｍ本のデータ電極Ｄ１からＤｍが配列されている。１対の走査電極ＳＣｉ（ｉ＝１〜ｎ）及び維持電極ＳＵｉと１つのデータ電極Ｄｊ（ｊ＝１〜ｍ）とが交差した部分に放電セルが形成され、放電セルは放電空間内にｍ×ｎ個形成されている。赤色、緑色及び青色の３個の放電セルにより１画素が構成される。
【００３１】
図１に戻って、駆動制御装置１は、サブフィールド法、すなわち、１フィールドを複数のサブフィールドに分割し、サブフィールドごとに各放電セルの発光・非発光を制御することにより映像を表示パネル１７に表示する。
【００３２】
具体的には、データ駆動部１５は、制御部１４からの駆動信号に応じて、表示パネル１７のデータ電極３２を駆動する。
【００３３】
書込・維持・消去駆動部１６は、制御部１４からの駆動信号に応じて、書込み動作、維持動作及び消去動作を行う。書込み期間において、書込・維持・消去駆動部１６は、制御部１４からの駆動信号に基づき、走査電極２２に走査パルスを印加するとともに、データ駆動部１５は、制御部１４からの駆動信号に基づき、データ電極３２に書込みパルスを印加して、発光させるべき放電セルで選択的に書込み放電を発生し、壁電荷を形成する書込み動作を行う。維持期間において、書込・維持・消去駆動部１６は、制御部１４からの駆動信号に基づき、サブフィールドごとに予め決められた輝度重みに応じた数の維持パルスを走査電極２２及び維持電極２３からなる表示電極対２４に交互に印加して、書込み放電を発生した放電セルで維持放電を発生させて発光させる維持動作を行う。消去期間において、書込・維持・消去駆動部１６は、制御部１４からの駆動信号に基づき、走査電極２２及び維持電極２３からなる表示電極対２４に電圧を印加して、直前の書込み期間において書込み放電を発生した放電セルのみで選択的に消去放電を発生し、書込み放電又はそれに続く維持放電で形成された壁電荷の履歴を消去し、続く書込み放電に必要な壁電荷を各電極上に形成する消去動作を行う。なお、本実施例において、書込・維持・消去駆動部１６による各サブフィールドの駆動において、書込み期間、維持期間及び消去期間のみを有し、初期化放電を行うための初期化期間は設けられていない。
【００３４】
[１−２．動作]
図４は、信号レベル補正部１１による補正映像信号の生成を説明する模式図である。図４（ａ）は、補正前の入力映像信号による表示パネル１７の表示輝度（階調）を示す。図４（ｂ）は、補正後の入力映像信号による表示パネル１７の表示輝度（階調）を示す。
【００３５】
駆動制御装置１は、上述の通り、書込・維持・消去駆動部１６による各サブフィールドの駆動において、書込み期間、維持期間及び消去期間のみを有し、初期化放電を行うための初期化期間は設けられていない。従って、入力映像信号の信号レベルが低い場合には点灯不良を起こしやすく、図４（ａ）に示されるように、入力映像信号の信号レベルがＸ１以下の範囲では、表示パネル１７の表示輝度（階調）が入力映像信号の信号レベルに対応する輝度に比べて低くなり、この傾向は、表示パネル１７の総動作時間に起因して蛍光体の劣化が発生した場合により顕著になる。従って、図４（ｂ）に示されるように、信号レベル補正部１１は、表示パネル１７の総動作時間が第２閾値ＸＬ１（例えば、ＸＬ１＝５００時間）以上と判定された場合、信号レベル判定部１２において入力映像信号の信号レベルが第１閾値Ｘ１（例えば、Ｘ１＝５）以下であると判定された画素の信号レベルを階調「０」に補正した補正映像信号を生成する。言い換えると、信号レベル補正部１１は、表示パネル１７の総動作時間が第２閾値ＸＬ１以上で、信号レベルが第１閾値Ｘ１以下の画素の信号レベルを強制的に黒表示する。
【００３６】
ここで、信号レベル２５５とは、輝度重みが最小のサブフィールドが１００％点灯する信号レベルである。
【００３７】
[１−３．効果等]
本開示の駆動制御装置及び駆動制御方法によれば、１フィールド期間に含まれ、走査電極とデータ電極及び維持電極との間に駆動電圧を印加して電荷を活性化させるための初期化放電を発生する初期化期間を有しない複数のサブフィールドにおける駆動制御において、表示パネルの動作時間積算値（総動作時間）が第２閾値以上と判定された場合、入力映像信号の信号レベルが第１閾値以下である画素の階調「０」に補正した補正映像信号を生成し、補正映像信号が生成された画素については補正映像信号に基づき駆動制御を行うので、表示パネルの総動作時間に起因して保護層の劣化が発生したとしても、コントラストを向上させつつ点灯不良が発生する確率が高い信号レベルが低い領域での映像の表示品質の低下を抑制することができる。
【００３８】
（他の実施の形態）
信号レベル補正部１１は、第２閾値XL1以上において表示パネル１７の動作時間積算値が増大するに従い、入力映像信号の信号レベルを判定する第１閾値Ｘ１を増大させてもよい。例えば、信号レベル補正部１１は、表示パネル１７の総動作時間が０から５００時間までは第１閾値Ｘ１＝０、５００時間から１０００時間までは第１閾値Ｘ１＝５、１０００時間から２０００時間までは第１閾値Ｘ１＝１０、２０００時間以上では第１閾値Ｘ１＝１５としてもよい。また、これに限らず、例えば、信号レベル補正部１１は、表示パネル１７の総動作時間が５００時間を越えた後は第１閾値Ｘ１を線形的に増大させてもよい。
【００３９】
また、信号レベル補正部１１は、入力映像信号の平均輝度や駆動制御装置１の周囲の照度に基づき、入力映像信号の信号レベルを判定する第１閾値Ｘ１を変化させてもよい。
【００４０】
また、上述したとおり、駆動制御装置１は、平均輝度検出部１８及び照度検出部１９を備えている。
【００４１】
平均輝度検出部１８は、入力映像信号の平均レベル（ＡＰＬ；Ａｖｅｒａｇｅ  Ｐｉｃｔｕｒｅ  Ｌｅｖｅｌ、１フレームの映像データの平均的な明るさ）を算出する。例えば、赤色信号Ｒ、緑色信号Ｇ及び青色信号Ｂの３原色信号それぞれの１フレーム分の合計値を求め、さらに３つの合計値からそのフレームの明るさの平均値であるＡＰＬを求める。ここで、全ての画素が点灯している状態をＡＰＬの１００％とし、全ての画素が点灯していない状態をＡＰＬの０％とする。
【００４２】
ＡＰＬの値が小さいときは点灯不良が目立ちやすくなるので、信号レベル補正部１１は、ＡＰＬが第３閾値（例えば、２０％）以下の場合、入力映像信号の信号レベルを判定する第１閾値Ｘ１を増大させてもよい。逆に、ＡＰＬの値が大きい時は点灯不良が目立ちにくくなるので、信号レベル補正部１１は、ＡＰＬが第４閾値（例えば、７０％）以上の場合、動作時間判定部１３における表示パネル１７の総動作時間及び信号レベル判定部１２における入力映像信号の信号レベルにかかわらず補正映像信号を生成せず、入力映像信号をそのまま制御部１４に渡してもよい。
【００４３】
画面全体の輝度が低い場合には表示パネルの総動作時間に起因して保護層の劣化が目立つため、入力信号レベルを０にする非線形処理によって劣化を目立たなくさせることができ、コントラストを向上させつつ点灯不良が発生する確率が高い信号レベルが低い領域での映像の表示品質の低下を抑制することができる。また画面全体の輝度が高い場合には輝度重みが最小のサブフィールドの点灯不良はほとんど目立たないため、前記のような処理を行わなくてもよい。
【００４４】
照度検出部１９は、駆動制御装置１の周囲の明るさ（照度とも言う）を検出する。
【００４５】
周囲の明るさが暗いときは点灯不良が目立ちやすくなるので、信号レベル補正部１１は、照度が第５閾値（例えば、３０ｌｕｘ）以下の場合、入力映像信号の信号レベルを判定する第１閾値Ｘ１を増大させてもよい。逆に、周囲の明るさの値が大きい時は点灯不良が目立ちにくくなるので、信号レベル補正部１１は、照度が第６閾値（例えば、１００ｌｕｘ）以上の場合、動作時間判定部１３における表示パネル１７の総動作時間及び信号レベル判定部１２における入力映像信号の信号レベルにかかわらず補正映像信号を生成せず、入力映像信号をそのまま制御部１４に渡してもよい。
【００４６】
駆動制御装置１の照度が低い場合には、表示パネルの総動作時間に起因した保護層の劣化起因の点灯不良が特に目立つため、入力信号レベルを０にする非線形処理によって点灯不良を目立たなくさせることができ、コントラストを向上させつつ点灯不良が発生する確率が高い信号レベルが低い領域での映像の表示品質の低下を抑制することができる。
【００４７】
また、信号レベル補正部１１は、上記とは異なる補正信号を生成してもよい。
【００４８】
図５は、信号レベル補正部１１による補正映像信号の生成の他の例を説明する模式図である。図５（ａ）は、補正前の入力映像信号による表示パネル１７の表示輝度（階調）を示す。図５（ｂ）は、補正映像信号を示す。図５（ｃ）は、図５（ｂ）の補正映像信号で補正した場合の表示パネル１７の表示輝度（階調）を示す。図５（ｄ）は、図５（ｂ）の補正信号のうち、入力映像信号の信号レベルが第７閾値ＸＣ１（＜第１閾値Ｘ１）以下であると判定された画素の信号レベルを階調「０」に補正する場合の補正後の入力映像信号による表示パネル１７の表示輝度（階調）を示す。
【００４９】
信号レベル補正部１１は、表示パネル１７の総動作時間が第２閾値ＸＬ１以上と判定された場合、信号レベル判定部１２において入力映像信号の信号レベルが第１閾値以下であると判定された画素の信号レベルを増大させる（図５（ｂ））。しかし、入力映像信号の信号レベルが第７閾値ＸＣ１以下の画素については、依然点灯不良が発生する可能性が高く、図５（ｃ）に示されるように、表示パネル１７の表示輝度（階調）が入力映像信号の信号レベルに対応する輝度に比べ低くなる。従って、図５（ｄ）に示されるように、信号レベル補正部１１は、表示パネル１７の総動作時間が第２閾値ＸＬ１以上と判定された場合、信号レベル判定部１２において入力映像信号の信号レベルが第１閾値以下でかつ第７閾値以上の画素の信号レベルを増大させ、第７閾値以下の画素の信号レベルを階調「０」に補正した補正映像信号を生成する。
【００５０】
このように一部の入力信号レベルを持ち上げことで、表示パネルの総動作時間に起因した保護層の劣化起因の点灯不良が起きてしまっても、本来の階調を維持しつつ点灯不良を目立たせなくすることができ、コントラストを向上させつつ点灯不良が発生する確率が高い信号レベルが低い領域での映像の表示品質の低下を抑制することができる。
【００５１】
なお、本実施例では、初期化期間を有しない複数のサブフィールドにおけるプラズマディスプレイパネルの駆動制御について述べたが、本発明はこれに限定されず、パネルの経年劣化により点灯不良を起こすその他のパネル、例えば、ELディスプレイパネル等の駆動制御にも適用可能である。
【００５２】
実施の形態１において、信号レベル補正部１１が信号レベル補正部の一例に対応し、信号レベル判定部１２が信号レベル判定部の一例に対応し、動作時間判定部１３が動作時間判定部の一例に対応し、制御部１４が制御部の一例に対応し、データ駆動部１５及び書込・維持・消去駆動部１６が駆動部の一例に対応し、表示パネル１７が表示パネルの一例に対応し、平均輝度検出部１８が平均輝度検出部の一例に対応し、照度検出部１９が照度検出部の一例に対応する。
【００５３】
以上のように、本開示における技術の例示として、実施の形態を説明した。そのために、添付図面および詳細な説明を提供した。
【００５４】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５５】
また、上述の実施の形態は、本開示における技術を例示するためのものであるから、特許請求の範囲またはその均等の範囲において種々の変更、置き換え、付加、省略などを行うことができる。
【産業上の利用可能性】
【００５６】
本開示は、入力映像信号の信号レベルを階調「０」に補正した補正映像信号を生成することにより、表示パネルの動作時間に起因した蛍光体の劣化が発生したとしても、コントラストを向上させつつ点灯不良が発生する確率が高い信号レベルが低い領域での映像の表示品質の低下を抑制することができるので、初期化期間を有しない複数のサブフィールドにおける駆動制御技術として有用である。
【符号の説明】
【００５７】
１    駆動制御装置
１１    信号レベル補正部
１２    信号レベル判定部
１３    動作時間判定部
１４    制御部
１５    データ駆動部
１６    書込・維持・消去駆動部
１７    表示パネル
１８    平均輝度検出部
１９    照度検出部
２１    前面基板
２２    走査電極
２３    維持電極
２４    表示電極対
２５、３３    誘電体層
２６    保護層
３１    背面基板
３２    データ電極
３４    隔壁
３５    蛍光体層
【図１】
2014089226.tif 000003
【図２】
2014089226.tif 000004
【図３】
2014089226.tif 000005
【図４】
2014089226.tif 000006
【図５】
2014089226.tif 000007